(57)【要約】【課題】強風等による竿体からのフック部の離脱を防止でき、かつ、竿体への着脱も容易に行える操作性の良いハンガーを提供すること。【解決手段】竿体Ｂに掛止可能なフック部１０に連結首部１２を介してハンガー本体１４を連設したハンガー１において、連結首部１２に上下移動自在かつ水平回動自在に取り付けられており、上方に付勢された状態でフック部１０の先端に係合することにより竿体Ｂからの離脱を防止する脱落防止具２０を備えた。【選択図】図１
2009285129.tif 000002
【特許請求の範囲】
【請求項１】
竿体に掛止可能なフック部に連結首部を介してハンガー本体を連設したハンガーにおいて、
前記連結首部に上下移動自在かつ水平回動自在に取り付けられており、上方に付勢された状態で前記フック部の先端に係合することにより前記竿体からの離脱を防止する脱落防止具を備えたことを特徴とするハンガー。
【請求項２】
前記脱落防止具は、
前記連結首部に挿通された筐体と、
前記筐体から側方に突設され、前記フック部の先端に係脱可能な係合アーム体と、
前記筐体の内部に収納され、前記係合アーム体が前記フック部の先端に係合するように前記筐体を前記連結首部に沿って上方に付勢する付勢部材と、を備えたことを特徴とする請求項１に記載のハンガー。
【請求項３】
前記係合アーム体は、前記フック部の先端に係合する係合受け部を先端に形成し、
前記付勢部材の付勢力に抗して少なくとも前記係合受け部の深さだけ下方に前記筐体が移動したときに、前記フック部の先端との係合を解除することを特徴とする請求項２に記載のハンガー。
【請求項４】
前記係合受け部は、前記フック部の先端よりも大径の上部開口を有し、この上部開口から下方に向って漸次縮径したすり鉢状に形成されたことを特徴とする請求項３に記載のハンガー。
【請求項５】
前記脱落防止具は、前記連結首部に対して着脱自在に取り付けられることを特徴とする請求項１〜４のいずれか１項に記載のハンガー。
【請求項６】
請求項１〜５のいずれか１項に記載のハンガーが備えた脱落防止具。
【発明の詳細な説明】
【技術分野】
【０００１】
本発明は、衣料品等の干し物を掛けて物干し竿等の竿体に吊るす際に用いるハンガー、及びこのハンガーが備えた脱落防止具に関する。
【背景技術】
【０００２】
従来より、物干し竿等の竿体に掛止可能なフック部に連結首部を介してハンガー本体を連設したハンガーが知られている。この種のハンガーでは、フック部が竿体に固定されていないため、強風等によってハンガー自体が揺らされた場合には、竿体からフック部が離脱する恐れがある。
【０００３】
そこで、竿体からフック部が離脱してしまうことを防止するため、特許文献１に記載されているように、基部をハンガー本体に回動自在に連結したストッパを備え、ストッパを回動してストッパの先端をフック部の先端に係合することで、フックを閉じるようにしたハンガーが提案されている。
【特許文献１】特開平０６−１２１８９７号公報
【発明の開示】
【発明が解決しようとする課題】
【０００４】
しかしながら、特許文献１に記載のハンガーでは、上記ストッパを備えたため、竿体からのフック部の離脱が防止されるものの、ストッパの開閉構造が複雑であることから、その開閉操作が煩雑であり、多数の干し物がある場合等は、竿体への着脱作業に手間がかかり、操作性が悪かった。
【０００５】
そこで、本発明は、強風等による竿体からのフック部の離脱を防止でき、かつ、竿体への着脱も容易に行える操作性の良いハンガー、及びハンガーが備えた脱落防止具を提供することを目的とする。
【課題を解決するための手段】
【０００６】
上記目的を達成するため、請求項１に記載の発明は、竿体に掛止可能なフック部に連結首部を介してハンガー本体を連設したハンガーにおいて、前記連結首部に上下移動自在かつ水平回動自在に取り付けられており、上方に付勢された状態で前記フック部の先端に係合することにより前記竿体からの離脱を防止する脱落防止具を備えたことを特徴とする。
【０００７】
請求項２に記載の発明は、請求項１に記載の発明において、前記脱落防止具は、前記連結首部に挿通された筐体と、前記筐体から側方に突設され、前記フック部の先端に係脱可能な係合アーム体と、前記筐体の内部に収納され、前記筐体を前記連結首部に沿って上方に付勢する付勢部材と、を備えたことを特徴とする。
【０００８】
請求項３に記載の発明は、請求項２に記載の発明において、前記係合アーム体は、前記フック部の先端に係合する係合受け部を先端に形成し、前記付勢部材の付勢力に抗して少なくとも前記係合受け部の深さだけ下方に前記筐体が移動したときに、前記フック部の先端との係合を解除することを特徴とする。
【０００９】
請求項４に記載の発明は、請求項３に記載の発明において、前記係合受け部は、前記フック部の先端よりも大径の上部開口を有し、この上部開口から下方に向って漸次縮径したすり鉢状に形成されたことを特徴とする。
【００１０】
請求項５に記載の発明は、請求項１〜４のいずれか１項に記載の発明において、前記脱落防止具は、前記連結首部に対して着脱自在に取り付けられることを特徴とする。
【００１１】
請求項６に記載の発明は、請求項１〜５のいずれか１項に記載のハンガーが備えた脱落防止具である。
【発明の効果】
【００１２】
請求項１、６に記載の発明では、竿体に掛止可能なフック部に連結首部を介してハンガー本体を連設したハンガーにおいて、連結首部に上下移動自在かつ水平回動自在に取り付けられており、上方に付勢された状態でフック部の先端に係合することにより竿体からの離脱を防止する脱落防止具を備えたので、ハンガーを物干し竿等の竿体に掛ける際には、竿体にフック部を掛けてから脱落防止具をフック部の先端に係合してフック部を閉じることで、脱落防止具に対してフック部を閉じる状態となるような付勢力が作用することになるため、強風に晒されてハンガーが揺れた場合であっても、フック部が竿体から離脱することを確実に防止できる。また、脱落防止具の構造が簡便であり、脱落防止具をフック部の先端に係合するという簡易な操作だけでフック部を竿体に固定できるので、操作性を格段に向上することができる。
【００１３】
請求項２に記載の発明では、脱落防止具は、連結首部に挿通された筐体と、筐体から側方に突設され、フック部の先端に係脱可能な係合アーム体と、筐体の内部に収納され、係合アーム体がフック部の先端に係合するように筐体を連結首部に沿って上方に付勢する付勢部材と、を備えたので、付勢部材の付勢力に抗して筐体を下方に移動すると共に、係合アーム体の先端とフック部の先端とが対峙する位置まで筐体を水平回動する操作を行い、その操作を解除することにより、付勢部材の付勢力によって筐体が上方に移動して係合アーム体をフック部の先端に係合させることができ、フック部を竿体に強固に固定することができる。
【００１４】
請求項３に記載の発明では、係合アーム体は、フック部の先端に係合する係合受け部を先端に形成し、付勢部材の付勢力に抗して少なくとも係合受け部の深さだけ下方に筐体が移動したときに、フック部の先端との係合を解除するので、係合アーム体を竿体に押し当てる等して筐体を僅かに下方に移動させた後、その係合アーム体がフック部の開放端を閉じない位置まで筐体を連結首部の周りに水平回動させることで、フック部を竿体から容易に取り外すことができ、操作性を向上することができる。
【００１５】
請求項４に記載の発明では、係合受け部は、フック部の先端よりも大径の上部開口を有し、この上部開口から下方に向って漸次縮径したすり鉢状に形成されたので、係合受け部の位置がフック部の先端と対峙する位置から多少ずれていても、係合受け部の内面がフック部の先端と当接することで筐体を水平回動させ、係合受け部をフック部の先端と対峙する位置までガイドしてフック部の先端と容易に係合させることができる。
【００１６】
請求項５に記載の発明では、脱落防止具は、連結首部に対して着脱自在に取り付けられるので、既存のハンガーに対して竿体からの脱落防止機能を容易に付与することがでる。
【発明を実施するための最良の形態】
【００１７】
以下、本発明の実施形態について図面を参照して説明する。
【００１８】
図１は、本実施形態に係るハンガーの使用状態を示す斜視図、図２は、本実施形態に係るハンガーが備えた脱落防止具の側断面図である。
【００１９】
図１及び図２に示すように、本実施形態に係るハンガー１は、竿体Ｂに掛止可能なフック部１０に連結首部１２を介してハンガー本体１４を連設しており、このハンガー本体１４に衣類やタオルなどの干し物Ｃを吊下げるようにしている。
【００２０】
なお、本実施形態では、フック部１０、連結首部１２、及びハンガー本体１４は、針金の周囲をビニル等で被覆した被覆金属体を折り曲げて一体的に成形されており、連結首部１２は、ハンガー本体１４における両肩部１４ａの上部水平部１４ｂに連設された二又状の基部１２ａと、基部１２ａとフック部１０の基端とを連結する棒状の連結部１２ｂとより構成される。
【００２１】
特に、本実施形態のハンガー１は、上記連結首部１２に上下移動自在かつ水平回動自在に取り付けられており、上方に付勢された状態でフック部１０の先端１０ａに係合することにより竿体Ｂからの離脱を防止する脱落防止具２０を備えている。
【００２２】
脱落防止具２０は、連結首部１２に挿通された筐体２２と、筐体２２から側方に突設され、フック部１０の先端１０ａに係脱可能な係合アーム体２４と、筐体２２の内部に収納され、係合アーム体２４がフック部１０の先端１０ａに係合するように筐体２２を連結首部１２に沿って上方に付勢する付勢部材としてのスプリング２６と、を備えている。
【００２３】
筐体２２は、連結首部１２の連結部１２ｂを挿通する挿通孔３２ａを中央に設けた円板状の上壁部３２と、上壁部３２に連設され、連結首部１２の周囲を囲繞する円筒状の側壁部３４とを備えており、これら上壁部３２と側壁部３４とで囲繞される下方開放の内部空間Ｓにスプリング２６を外部から視認できないように収納している。このように、筐体２２によりスプリング２６を外部から視認できないようにしているため、意匠性を向上することができる。
【００２４】
また、筐体２２の上壁部３２は、係合アーム体２４をフック部１０の先端１０ａに係合させる際に筐体２２を連結首部１２に対して上下移動及び水平回動する操作を行うための操作部として機能するものであり、使用者が親指で押圧操作し易いように所定の面積を有した円板状に形成されている。かかる上壁部３２の操作部としての機能については、後述する。
【００２５】
係合アーム体２４は、フック部１０の開放端を閉じる程度の所定長さで形成されており、竿体Ｂに接触しないように、少なくともフック部１０に対向する上面を竿体Ｂの曲率と略同一の曲率を有した曲率面２４ａとしている。
【００２６】
また、この係合アーム体２４は、フック部１０の先端１０ａに係合する係合受け部２５を先端に形成しており、この係合受け部２５をフック部１０の先端１０ａに係合することでフック部１０の開放端を閉じ、また、係合受け部２５の、フック部１０の先端１０ａとの係合を解除することでフック部１０の開放端を開放するようにしている。
【００２７】
係合受け部２５は、フック部１０の先端１０ａよりも大径の上部開口を有し、この上部開口から下方に向って漸次縮径したすり鉢状に形成されている。このように、係合受け部２５をすり鉢状に形成することによって、係合受け部２５の位置がフック部１０の先端１０ａと対峙する位置から多少ずれていても、係合受け部２５をフック部１０の先端１０ａと対峙する位置までガイドしてフック部１０の先端１０ａと容易に係合させることができる。
【００２８】
スプリング２６は、連結首部１２の連結部１２ｂへ遊嵌状態で外挿されており、下端を連結首部１２の基部１２ａの上部に載置して、上端で筐体２２の上壁部３２を支承している。
【００２９】
このスプリング２６は、図２に示すように、係合アーム体２４の係合受け部２５とフック部１０の先端１０ａとが係合した際には、下端を連結首部１２の基部１２ａの上部に圧接させ、上端を筐体２２の上壁部３２における挿通孔３２ａの下周縁に圧接させる。したがって、連結首部１２の基部１２ａと筐体２２の上壁部３２との間で挟まれてスプリング２６が縮退し、その縮退したスプリング２６の付勢力によって筐体２２が連結首部１２に沿って上方、すなわち、フック部１０へ向う方向に常時付勢されるようになっている。
【００３０】
したがって、本実施形態のハンガー１では、ハンガー１を物干し竿等の竿体Ｂに掛ける際には、竿体Ｂにフック部１０を掛けてから脱落防止具２０の係合アーム体２４をフック部１０の先端１０ａに係合してフック部１０の開放端を閉じることで、フック部１０の開放端を閉じる状態となるような付勢力が筐体２２を介して係合アーム体２４に作用するようになっている。このため、強風に晒されてハンガー１が揺らされた場合に、竿体Ｂが係合アーム体２４に押し当てられた場合であっても、係合アーム体２４のフック部１０の先端１０ａとの係合が解除され難くなり、フック部１０が竿体Ｂから離脱することを確実に防止できる。
【００３１】
ところで、本実施形態では、脱落防止具２０は、連結首部１２に対して着脱自在に取り付けられるようになっている。
【００３２】
すなわち、脱落防止具２０におけるスプリング２６は、フック部１０の先端１０ａに外挿された後、下端が連結首部１２の基部１２ａの上部に当接するまで押し込まれることによって、連結首部１２に装着される。
【００３３】
また、脱落防止具２０における筐体２２は、内部空間Ｓの下方開放端側からフック部の先端１０ａに外挿された後、上壁部３２の挿通孔３２ａにフック部１０の先端１０ａを挿通させ、内部空間Ｓを利用してフック部１０を通過することで上下反転されるようになっている。なお、筐体２２の内部空間Ｓは、筐体２２がフック部１０を通過できるように、フック部１０の湾曲形状を吸収する程度の容積を有している。そして、上下反転した筐体２２は、上壁部３２がスプリング２６の上端に当接するまで、連結首部１２の連結部１２ｂに沿って押し込まれることによって、連結首部１２に装着される。
【００３４】
このように、本実施形態では、脱落防止具２０が連結首部１２に対して着脱自在に取付れられるので、既存のハンガー１に対して竿体Ｂからの脱落防止機能を容易に付与することができる。
【００３５】
この発明の実施形態は以上のように構成されており、実際に使用する場合の手順及び動作を説明する。
【００３６】
図３は、本実施形態に係るハンガー１を竿体Ｂに掛止する際の動作説明図であり、図４は、本実施形態に係るハンガー１を竿体Ｂから離脱する際の動作説明図である。
【００３７】
ハンガー１を竿体Ｂに掛止する際には、まず、図３（ａ）に示すように、係合アーム体２４とフック部１０の先端１０ａとの係合を解除した状態とし、係合アーム体２４がフック部１０の開放端を閉じない位置まで筐体２２を連結首部１２を中心として水平回動させる。そして、フック部１０の開放端を通してフック部１０を竿体Ｂに掛止させる。
【００３８】
次に、スプリング２６の付勢力に抗して親指などで筐体２２の上壁部３２を下方に押圧操作することにより、係合アーム体２４がフック部１０の先端１０ａよりも下方となるまで筐体２２を連結首部１２に沿って下方に移動させると共に、図３（ｂ）に示すように、係合アーム体２４の先端とフック部１０の先端１０ａとが対峙する位置まで筐体２２を連結首部１２の周りに水平回動させる。このとき、筐体２２の上壁部３２は、係合アーム体２４をフック部１０に係合させる際に操作する操作部として機能する。なお、図３（ｂ）は、ハンガー１を上方から見た状態を示している。
【００３９】
次に、図３（ｃ）に示すように、筐体２２の上壁部３２への押圧操作を解除すると、スプリング２６の付勢力によって筐体２２が連結首部１２に沿って上方に摺動して、係合アーム体２４の係合受け部２５とフック部１０の先端１０ａとが係合する。
【００４０】
このように、係合受け部２５をフック部１０の先端１０ａに係合することにより、フック部１０の開放端をすばやく閉じることができ、かつ、フック部１０を竿体Ｂに強固に固定することができる。しかも、フック部１０の開放端を閉じる状態となるように、スプリング２６の付勢力が筐体２２を介して係合アーム体２４に作用しているので、強風によりハンガー１が揺らされて、竿体Ｂが係合アーム体２４に押し当てられた場合であっても、係合アーム体２４のフック部１０の先端１０ａとの係合が解除され難くなり、フック部１０が竿体Ｂから離脱することを確実に防止できる。
【００４１】
一方、ハンガー１を竿体Ｂから離脱する際には、まず、図４（ａ）に示すように、ハンガー本体１４などを手に持ち、フック部１０を上方へ持ち上げて、係合アーム体２４に竿体Ｂを押し当てる。これにより、スプリング２６の付勢力に抗して少なくとも係合受け部２５の深さだけ、連結首部１２に沿って下方に筐体２２が移動する。このとき、係合アーム体２４は、フック部１０の先端１０ａとの係合を解除する。
【００４２】
次に、図４（ｂ）に示すように、係合アーム体２４がフック部１０の開放端を閉じない位置まで筐体２２を連結首部１２の周りに水平回動させる。なお、図４（ｂ）は、ハンガー１を上方から見た状態を示している。
【００４３】
次に、図４（ｃ）に示すように、フック部１０の開放端を通してフック部１０を竿体Ｂから取り外す。
【００４４】
このように、係合アーム体２４は、スプリング２６の付勢力に抗して少なくとも係合受け部２５の深さだけ下方に筐体２２が移動したときに、フック部１０の先端１０ａとの係合を解除するので、フック部１０を竿体から容易に取り外すことができる。
【００４５】
以上説明してきたように、本実施形態では、竿体Ｂに掛止可能なフック部１０に連結首部１２を介してハンガー本体１４を連設したハンガー１において、連結首部１２に上下移動自在かつ水平回動自在に取り付けられており、上方に付勢された状態でフック部１０の先端１０ａに係合することにより竿体Ｂからの離脱を防止する脱落防止具を備えている。
【００４６】
したがって、ハンガー１を物干し竿等の竿体Ｂに掛ける際には、竿体Ｂにフック部１０を掛けてから脱落防止具２０における係合アーム体２４をフック部１０の先端１０ａに係合してフック部１０の開放端を閉じることで、スプリング２６によりフック部１０を閉じる状態となるような付勢力が筐体２２に作用することになるため、強風に晒されてハンガーが揺れた場合であっても、フック部１０が竿体Ｂから離脱することを確実に防止できる。
【００４７】
また、脱落防止具２０の構造が簡便であり、脱落防止具２０をフック部の先端１０ａに係合するという簡易な操作だけでフック部１０を竿体Ｂに固定できるので、操作性を格段に向上することができる。
【００４８】
本発明の実施の形態に記載された効果は、本発明から生じる最も好適な効果を列挙したに過ぎず、本発明による効果は、本発明の実施の形態に記載されたものに限定されるものではない。
【００４９】
例えば、本実施形態では、筐体２２の上壁部３２を、係合アーム体２４をフック部１０に係合させる際に操作する操作部として機能させるようにしたが、これに限らず、筐体２２の側壁部３４に指先で摘むことが可能な摘み部を設け、この摘み部を操作部として機能させるようにしても良い。なお、かかる操作部の形状は、ここに挙げたものに限定されるものではなく、種々の設計変更が可能である。
【図面の簡単な説明】
【００５０】
【図１】本実施形態に係るハンガーの使用状態を示す説明図である。
【図２】本実施形態に係るハンガーが備えた脱落防止具の側断面図である。
【図３】本実施形態に係るハンガーを竿体に掛止する際の動作説明図である。
【図４】本実施形態に係るハンガーを竿体から離脱する際の動作説明図である。
【符号の説明】
【００５１】
１        ハンガー
１０      フック部
１０ａ    先端
１２      連結首部
１４      ハンガー本体
２０      脱落防止具
２２      筐体
２４      係合アーム体
２５      係合受け部
２６      付勢部材（スプリング）
Ｂ        竿体
【図１】
2009285129.tif 000003
【図２】
2009285129.tif 000004
【図３】
2009285129.tif 000005
【図４】
2009285129.tif 000006